(57)【特許請求の範囲】
【請求項１】
容器本体収容空間（１５）を有する外容器（１０）と、前記外容器（１０）にヒンジ結合されて開閉される外容器蓋（２０）とから構成される化粧品容器であって、
前記外容器（１０）に収容され、内壁（３２）を有する容器本体（３０）と、
前記容器本体（３０）の上端に結合されるフレーム（７０）と、
前記フレーム（７０）の上部に結合され、吐出口（５１）が設けられた平板状のゴム排出パッド（５０）と、
前記ゴム排出パッド（５０）および前記フレーム（７０）が結合されるテンションキャップ（６０）とを含み、
前記ゴム排出パッド（５０）は、端部に嵌め込み部（５２）を有し、前記嵌め込み部（５２）が前記フレーム（７０）の結合突起（７１）に嵌め込まれることで、前記フレーム（７０）は前記容器本体（３０）の内壁（３２）に固定結合され、
前記テンションキャップ（６０）は、テンション突条（６１）を有し、前記容器本体（３０）に結合され、前記テンション突条（６１）が前記ゴム排出パッド（５０）の縁部を押圧して前記ゴム排出パッド（５０）をぴんと張るようにすることを特徴とする、ゴム排出パッド付き化粧品容器。
【請求項２】
前記容器本体（３０）は、ヒンジ結合される容器蓋体（４０）がさらに設けられることを特徴とする、請求項１に記載のゴム排出パッド付き化粧品容器。
【請求項３】
前記容器本体（３０）の内壁（３２）の側面に外壁（３３）がさらに設けられることを特徴とする、請求項１に記載のゴム排出パッド付き化粧品容器。
【請求項４】
前記容器本体（３０）の内壁（３２）には嵌合突起（３４）が設けられることを特徴とする、請求項１に記載のゴム排出パッド付き化粧品容器。
【請求項５】
前記容器本体（３０）は内側に含浸部材（８０）がさらに装着されることを特徴とする、請求項１に記載のゴム排出パッド付き化粧品容器。
【請求項６】
前記含浸部材（８０）は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、ＮＢＲ（ａｃｒｙｌｏｎｉｔｒｉｌｅ−ｂｕｔａｄｉｅｎｅ  ｒｕｂｂｅｒ）、湿式ウレタン、乾式ウレタン、ポリエーテル、ポリエステル、ポリ塩化ビニル、ポリエチレン、ラテックス、シリコーン、ＰＶＡ（ＰｏｌｙＶｉｎｙｌ  Ａｌｃｏｈｏｌ）、シリコーン製エラストマー、ニトリルゴム、ブチルゴムおよびネオプレンよりなる群から選択される少なくとも１つの材質からなることを特徴とする、請求項５に記載のゴム排出パッド付き化粧品容器。
【請求項７】
前記容器蓋体（４０）は下側に密閉片（４２）が設けられることを特徴とする、請求項２に記載のゴム排出パッド付き化粧品容器。
【請求項８】
前記吐出口（５１）は０．０１ｍｍ〜１．２ｍｍの大きさを有することを特徴とする、請求項１に記載のゴム排出パッド付き化粧品容器。
【請求項９】
前記ゴム排出パッド（５０）に分布される前記吐出口（５１）は１００個〜６００個であることを特徴とする、請求項１に記載のゴム排出パッド付き化粧品容器。
【請求項１０】
前記ゴム排出パッド（５０）に分布される前記吐出口（５１）は３００個〜５００個であることを特徴とする、請求項９に記載のゴム排出パッド付き化粧品容器。
【発明の詳細な説明】
【技術分野】
【０００１】
本発明は、ゴム排出パッド付き化粧品容器に係り、さらに詳しくは、容器本体に、多数の吐出口が形成されているゴム排出パッドを結合させて、ゴム排出パッドを押圧すると、弾性により前記ゴム排出パッドが容器本体の下側にまで押されることにより、容器本体に収容された内容物を残量なく使用できると共に、容器本体に収容されている内容物が前記ゴム排出パッドの吐出口から排出されることにより、排出パッドへの押圧力によって吐出口の膨張サイズが変わるため内容物の吐出量を調節できる、ゴム排出パッド付き化粧品容器に関する。
【０００２】
また、容器本体に、多数の吐出口が形成されているゴム排出パッドと、テンション突条が形成されているテンションキャップとを結合することにより、前記テンション突条がゴム排出パッドの縁部を押圧してゴム排出パッドをぴんと張るようにし、テンションキャップがゴム排出パッドを容器本体に強固に結合させ、ゴム排出パッドを押圧する時に前記ゴム排出パッドが容器本体から離脱することを防ぐ、ゴム排出パッド付き化粧品容器に関する。
【背景技術】
【０００３】
一般に、自分の顔を美しく見せるために使用される化粧品は、その機能によって基礎化粧品、機能性化粧品およびメイクアップ化粧品などに大別される。
【０００４】
前記メイクアップ化粧品は、顔や爪などの身体に塗布された時、色彩感を与えて肌の色を美しく表現できるので、基礎化粧品でカバーできない肌の欠点を見えないようにするために使用される。
【０００５】
また、メイクアップ化粧品は、公害やほこり、紫外線などから肌を保護し、顔の輪郭を修正してくれるうえ、立体感を与える効果があって、広く用いられている。
【０００６】
このようなメイクアップ化粧品で肌の欠陥をカバーしてなめらかに見えるようにするものとしてパウダーパクトがあるが、前記パウダーパクトは、粉状の内容物を収容し、パフを用いて前記粉状の内容物を化粧部位に塗布する方式で使用された。
【０００７】
しかし、前記パウダーパクトを顔に塗布する際、粉状の内容物が飛散してしまい、顔へ密着し難くなる欠点がある。
【０００８】
かかる欠点を克服するために、ゲル（ｇｅｌ）状内容物のファンデーションが開発されたところ、前記ファンデーション化粧品は、色調粉末原料に固着剤（ｂｉｎｄｅｒ）、乳化剤（ｅｍｕｌｓｉｆｉｅｒ）などの成分を混合し、一定の温度で溶融、冷却させた後、内容物をファンデーションケースなどの化粧品容器に入れて完成品として生産する。
【０００９】
前述したような従来のファンデーション容器として、韓国実用新案登録第２０−０３６２３７０号に開示されている。このファンデーション容器は、図１に示すように、化粧材料が収容される内部容器１と、外周縁にねじ山が形成されており、前記内部容器１が内部に設けられた容器収納空間２に挿設される下部容器３と、下部が開口し、前記下部容器３の外周に形成されたねじ山に螺合され、上部にパフが保管されるパフ収納空間４を有する上部容器５と、前記上部容器５の一側面に設けられたヒンジに軸支され、上下開閉する蓋６から構成されている。
【００１０】
しかしながら、前記従来のファンデーション容器は、化粧の際に、容器の下部容器３から上部容器５を分離した後、上部容器５に収容されている化粧品の内容物をパフで直接つけて使用しなければならないため、一度に多すぎる化粧品内容物がパフに付くという欠点があった。
【００１１】
かかる問題を解消するために、本出願人は、図２に示すように、韓国登録特許第１０−１１５９８７７号で、ゲル状の化粧品内容物を含浸部材２００に含浸させてコンパクト容器１００に収容した製品を提案している。
【００１２】
しかし、この従来技術は、使用者が含浸部材２００に含浸されているゲル状の内容物をパフにつけて使用することにより、含浸部材２００の上部にあった内容物が益々無くなっていくと同時に、重力によって内容物が含浸部材２００の下部に移動するので、含浸部材２００の下部に含浸されている内容物は使用できないという問題があった。
【００１３】
さらに、含浸部材２００に含浸されている内容物をパフで直接つけて使用しなければならないため、化粧品内容物の吐出量を使用者が任意に制御することが難しいという問題もあった。
【発明の概要】
【発明が解決しようとする課題】
【００１４】
本発明は、かかる問題点を解決するためになされたもので、その目的は、容器本体に、多数の吐出口が形成されているゴム排出パッドを結合し、ゴム排出パッドを押圧すると、弾性により前記ゴム排出パッドが容器本体の下側にまで押されるようにすることにより、容器本体に収容された内容物を残量なく使用できる、ゴム排出パッド付き化粧品容器を提供することにある。
【００１５】
また、本発明の他の目的は、容器本体に収容されている内容物が前記ゴム排出パッドの吐出口を介して排出されるので、排出パッドを押圧する力によって吐出口の膨張サイズが変わるため、内容物の吐出量を調節できる、ゴム排出パッド付き化粧品容器を提供することにある。
【００１６】
また、本発明の別の目的は、容器本体に、多数の吐出口が形成されているゴム排出パッドと、テンション突条が形成されているテンションキャップとを結合することにより、前記テンション突条がゴム排出パッドの縁部を押圧してゴム排出パッドをぴんと張るようにし、テンションキャップがゴム排出パッドを容器本体に強固に結合することにより、ゴム排出パッドを押圧する際に前記ゴム排出パッドが容器本体から離脱することを防止する、ゴム排出パッド付き化粧品容器を提供することにある。
【課題を解決するための手段】
【００１７】
本発明は、容器本体収容空間１５を有する外容器１０と、前記外容器１０にヒンジ結合されて開閉される外容器蓋２０とから構成される化粧品容器であって、前記外容器１０に収容され、内壁３２を有する容器本体３０と、前記容器本体３０とヒンジ結合される容器蓋体４０と、前記容器本体３０の上端に結合され、吐出口５１を有するゴム排出パッド５０と、前記ゴム排出パッド５０を押圧すると同時に容器本体３０に固定させるテンションキャップ６０とを含み、
前記ゴム排出パッド５０は端部に嵌め込み部５２を有し、前記嵌め込み部５２が容器本体３０の内壁３２に嵌め込まれることで、前記ゴム排出パッド５０が容器本体３０の内壁３２に固定結合され、
前記テンションキャップ６０は、テンション突条６１を有し、容器本体３０に結合され、
前記テンション突条６１がゴム排出パッド５０の縁部を押圧して前記ゴム排出パッド５０をぴんと張るようにすることを特徴とする、ゴム排出パッド付き化粧品容器を提供する。
【００１８】
また、本発明の容器本体３０は、側面に内壁３２と外壁３３が設けられることを特徴とする。
【００１９】
また、本発明の内壁３２には嵌合突起３４が設けられることを特徴とする。
【００２０】
また、本発明の容器蓋体４０は下側に密閉片４２が設けられることを特徴とする。
【００２１】
また、本発明の吐出口５１は０．０１ｍｍ〜１．２ｍｍの大きさを有することを特徴とする。
【００２２】
また、本発明の吐出口５１は、１００個〜６００個をゴム排出パッド５０に分布させて形成することを特徴とし、好ましくは３００個〜５００個とする。
【００２３】
また、本発明の化粧品容器にはフレーム７０がさらに備えられ、前記ゴム排出パッド５０は、テンションキャップ６０とフレーム７０との間で結合されて、容器本体３０に結合されることを特徴とする。
【００２４】
また、本発明の容器本体３０の内側には含浸部材８０がさらに形成できる。
【発明の効果】
【００２５】
上述のように、本発明に係るゴム排出パッド付き化粧品容器は、容器本体にゴム排出パッドを結合し、前記ゴム排出パッドが容器本体の下側にまで押圧されるようにすることにより、容器本体に収容された内容物を残量なく使用できる。
【００２６】
また、本発明に係るゴム排出パッド付き化粧品容器は、容器本体に収容されている内容が前記ゴム排出パッドの吐出口を介して排出されることにより、排出パッドを押圧する力によって吐出口の膨張サイズが変わり、内容物の吐出量を調節できる。
【００２７】
また、本発明に係るゴム排出パッド付き化粧品容器は、容器本体にゴム排出パッドと、テンション突条付きテンションキャップとが結合され、前記テンションキャップがゴム排出パッドを容器本体に強固に結合させるので、ゴム排出パッドを押圧する時に前記ゴム排出パッドが容器本体から離脱することを防止できる。
【図面の簡単な説明】
【００２８】
【図１】従来のファンデーション容器の断面図である。
【図２】従来の他のファンデーション容器の開放された状態の斜視図である。
【図３】本発明の一実施形態に係るゴム排出パッド付き化粧品容器の開放された状態の斜視図である。
【図４】本発明の一実施形態に係るゴム排出パッド付き化粧品容器の分解斜視図である。
【図５】本発明の一実施形態に係るゴム排出パッド付き化粧品容器の開放された状態の断面図である。
【図６ａ】本発明の一実施形態に係るゴム排出パッド付き化粧品容器の容器本体にゴム排出パッドを結合する状態の断面図である。
【図６ｂ】本発明の一実施形態に係るゴム排出パッド付き化粧品容器の容器本体にゴム排出パッドが結合された状態の断面図である。
【図６ｃ】本発明の一実施形態に係るゴム排出パッド付き化粧品容器の容器本体にテンションキャップを結合する状態の断面図である。
【図６ｄ】本発明の一実施形態に係るゴム排出パッド付き化粧品容器の容器本体にテンションキャップを結合した状態の断面図である。
【図７】本発明の一実施形態に係るゴム排出パッド付き化粧品容器に含浸部材が装着され、開放された状態の断面図である。
【図８ａ】本発明の他の実施形態に係るゴム排出パッド付き化粧品容器のテンションキャップとゴム排出パッドとフレームとが結合される状態の断面図である。
【図８ｂ】本発明の他の実施形態に係るゴム排出パッド付き化粧品容器のテンションキャップとゴム排出パッドとフレームとを結合した後、容器本体に結合する状態の断面図である。
【図８ｃ】本発明の他の実施形態に係るゴム排出パッド付き化粧品容器のテンションキャップとゴム排出パッドとフレームとを結合した後、容器本体に結合した状態の断面図である。
【発明を実施するための形態】
【００２９】
以下、添付図面を参照して、本発明に係るゴム排出パッド付き化粧品容器の一実施形態を説明する。
【００３０】
図３は本発明の一実施形態に係るゴム排出パッド付き化粧品容器の開放された状態の斜視図、図４は本発明の一実施形態に係るゴム排出パッド付き化粧品容器の分解斜視図、図５は本発明の一実施形態に係るゴム排出パッド付き化粧品容器の開放された状態の断面図である。図６ａは本発明の一実施形態に係るゴム排出パッド付き化粧品容器の容器本体にゴム排出パッドを結合する状態の断面図、図６ｂは本発明の一実施形態に係るゴム排出パッド付き化粧品容器の容器本体にゴム排出パッドが結合された状態の断面図である。図６ｃは本発明の一実施形態に係るゴム排出パッド付き化粧品容器の容器本体にテンションキャップを結合する状態の断面図、図６ｄは本発明の一実施形態に係るゴム排出パッド付き化粧品容器の容器本体にテンションキャップを結合した状態の断面図である。図７は本発明の一実施形態に係るゴム排出パッド付き化粧品容器に含浸部材が装着され、開放された状態の断面図である。図８ａは本発明の他の実施形態に係るゴム排出パッド付き化粧品容器のテンションキャップとゴム排出パッドとフレームとが結合される状態の断面図、図８ｂは本発明の他の実施形態に係るゴム排出パッド付き化粧品容器のテンションキャップとゴム排出パッドとフレームとを結合した後、容器本体に結合する状態の断面図、図８ｃは本発明の他の実施形態に係るゴム排出パッド付き化粧品容器のテンションキャップとゴム排出パッドとフレームとを結合した後、容器本体に結合した状態の断面図である。
【００３１】
本発明に係るゴム排出パッド付き化粧品容器は、容器本体収容空間１５が形成された外容器１０と、前記外容器１０にヒンジ結合されて開閉される外容器蓋２０とから構成される化粧品容器であって、
前記外容器１０に収容され、内壁３２を有する容器本体３０と、前記容器本体３０にヒンジ結合される容器蓋体４０と、前記容器本体３０の上端に結合され、吐出口５１を有するゴム排出パッド５０と、前記ゴム排出パッド５０をぴんと張るように押圧するとともに容器本体３０に固定させるテンションキャップ６０とを含んでなる。
【００３２】
前記外容器１０は、一側面にロック片１２付き押しボタン１１が設けられ、前記押しボタン１１の対向側にヒンジが設けられて外容器蓋２０とヒンジで結合され、内部には容器本体収容空間１５が設けられ、内周面には結合突起１３が設けられ、内周縁にはヒンジブラケット装着溝１４が設けられる。
【００３３】
前記押しボタン１１は、使用者の押圧動作により、押しボタン１１の上部に延設されたロック片１２が容易に後退して、外容器蓋２０のロック突起２１から離脱できるようにする。
【００３４】
前記結合突起１３は、外容器１０の内周面に設けられ、容器本体３０が装着結合される。
【００３５】
前記ヒンジブラケット装着溝１４には容器本体３０のヒンジブラケット３６が装着され、前記容器本体収容空間１５には容器本体３０が位置する。
【００３６】
前記外容器蓋２０は、外容器１０の上部を覆うもので、外容器１０とヒンジ結合で連結され、外容器１０を開放または閉鎖する役割をする。
【００３７】
前記外容器蓋２０の一側にはロック突起２１を備える。前記ロック突起２１は、外容器１０のロック片１２に対応する突起形状を有する。
【００３８】
前記容器本体３０は、内容物収容空間３１を備え、側面には内壁３２と外壁３３が設けられ、前記外壁３３の外周面には結合溝３５が設けられる。
【００３９】
前記内容物収容空間３１には内容物が収容される。
【００４０】
また、容器本体３０の内容物収容空間３１には、図７に示すように、含浸部材８０がさらに装着できる。
【００４１】
前記含浸部材８０は、ＢＲ（Ｂｕｔａｄｉｅｎｅ  Ｒｕｂｂｅｒ）、ＳＢＲ（Ｓｔｙｒｅｎｅ  Ｂｕｔａｄｉｅｎｅ  Ｒｕｂｂｅｒ）、ＮＲ（Ｎａｔｕｒａｌ  Ｒｕｂｂｅｒ）、ＮＢＲ（ａｃｒｙｌｏｎｉｔｒｉｌｅ−ｂｕｔａｄｉｅｎｅ  ｒｕｂｂｅｒ）、湿式ウレタン、乾式ウレタン、ポリエーテル、ポリエステル、ポリ塩化ビニル、ポリエチレン、ラテックス、シリコーン、ＰＶＡ（ＰｏｌｙＶｉｎｙｌ  Ａｌｃｏｈｏｌ）、シリコーン製エラストマー、ニトリルゴム、ブチルゴムおよびネオプレンよりなる群から選ばれる少なくとも一つの材質を含むことができる。
【００４２】
前記内壁３２は、上端に嵌合突起３４が設けられ、図６ｄに示すように、前記嵌合突起３４にはゴム排出パッド５０の嵌め込み部５２が嵌合される。
【００４３】
前記外壁３３は、容器蓋体４０の密閉片４２が嵌め込まれ、容器本体３０の気密性を増大させる役割をする。
【００４４】
前記内壁３２と外壁３３との間にはテンションキャップ６０が挿嵌される。
【００４５】
前記結合溝３５は、外壁３３の外周面に設けられる。前記結合溝３５は、容器本体３０が外容器１０の容器本体収容空間１５に収容されるときに前記容器本体３０を固定結合するもので、外容器１０の結合突起１３と結合される。
【００４６】
また、前記容器本体３０は、容器蓋体４０との結合のためのヒンジブラケット３６およびヒンジピン３７を有する。
【００４７】
前記ヒンジブラケット３６は、容器本体３０の側面に設けられ、外容器１０のヒンジブラケット装着溝１４に装着され、ヒンジピン３７によって容器蓋体４０とヒンジ結合される。
【００４８】
前記容器蓋体４０の一側面には、容易な開閉のために開閉つまみ４１が設けられる。
【００４９】
前記容器蓋体４０の下端には密閉片４２が設けられ、この密閉片が容器本体３０の外壁３３の内側に嵌め込まれて前記容器本体３０の気密性を増大させる。
【００５０】
前記容器蓋体４０は、一側にヒンジ突起４３が設けられ、このヒンジ突起が容器本体３０のヒンジブラケット３６に挿入された後、ヒンジピン３７によって固定される。
【００５１】
また、容器蓋体４０の上面には、化粧道具であるパフ（図示せず）を保管することが可能なパフ内蔵空間４４が設けられる。
【００５２】
前記ゴム排出パッド５０は、内容物が排出されるように多数の吐出口５１を有し、端部に嵌め込み部５２が設けられる。
【００５３】
前記ゴム排出パッド５０が弾性によって容器本体３０の下側にまで押されるため、容器本体３０に収容された内容物を残量なく使用することができ、前記内容物がゴム排出パッド５０の吐出口５１を通過して排出されるため、ゴム排出パッド５０を押圧する力によって容器本体３０内の内容物の吐出量を調整して浪費を防止することができる。
【００５４】
前記ゴム排出パッド５０は、天然ゴム、エラストマー、シリコーンゴム、ＮＢＲゴム、および弾性に優れた合成樹脂材の中、一つ以上で形成できる。
【００５５】
前記吐出口５１は、０．０１ｍｍ〜１．２ｍの大きさを有し、その個数を１００個〜６００個にしてゴム排出パッド５０に分布させて形成し、好ましくは３００個〜５００個にする。
【００５６】
下記実施例１〜実施例６のそれぞれのゴム排出パッドについて、２０代〜３０代の女性消費者５０人を対象として使用感を調べた。
【００５７】
［実験例１］ゴム排出パッドの吐出口の大きさによる使用感の測定
ゴム排出パッドの吐出口の大きさによる消費者の使用感を測定した。
【００５８】
【表１】
0006332775.tif 000002
（１．０：非常に悪い、２．０：悪い、３．０：普通、４．０：良い、５．０：非常に良い）
【００５９】
ゴム排出パッド５０の吐出口５１の大きさによる消費者の使用感を測定したところ、吐出口５１のサイズが０．０１ｍｍ未満であれば、内容物の排出が表面張力によって円滑ではないため、消費者の使用感が悪く、１．２ｍｍを超過であれば、内容物が過度に排出されるため、消費者の使用感が悪く、ゴム排出パッド５０が内容物の排出量を調節することができなくなる。
【００６０】
［実験例２］ゴム排出パッドの吐出口の個数による使用感の測定
ゴム排出パッド５０の吐出口５１の個数による消費者の使用感を測定するために、ゴム排出パッド５０の吐出口５１の大きさを０．０８ｍｍにし、吐出口５１の個数を変えたゴム排出パッド５０を備える化粧品容器を提供した後、消費者の使用感を測定した。
【００６１】
【表２】
0006332775.tif 000003
（１．０：非常に悪い、２．０：悪い、３．０：普通、４．０：良い、５．０：非常に良い）
【００６２】
ゴム排出パッド５０の吐出口５１の個数による使用感を測定したところ、吐出口５１の個数が１００個未満であれば、内容物の排出が円滑ではないため、消費者の使用感が悪く、 吐出口５１の個数が６００個を超過であれば、内容物の排出量が多くなりすぎて消費者の使用感が悪く、ゴム排出パッド５０が内容物の排出量を調節することができなくなる。
【００６３】
そして、上記表２に示すように、吐出口５１の個数が３００個以上４００個未満である場合、内容物の排出量が最も適切であり、使用感が非常に優れている。
【００６４】
つまり、内容物がゴム排出パッド５０の吐出口５１を通過して排出されるため、吐出口は、０．０１ｍｍ〜１．２ｍｍの大きさにし、１００個〜６００個の個数にしてこそ、優れた使用感を得ることができ、適切に内容物の排出量を調節することができる。
【００６５】
前記ゴム排出パッド５０は端部に嵌め込み部５２を有し、前記嵌め込み部５２は容器本体３０の内壁３２に嵌め込まれ、ゴム排出パッド５０が容器本体３０の内壁３２に固定結合される。
【００６６】
本発明の一実施形態では、ゴム排出パッド５０が容器本体３０の内壁３２に直接固定結合されるのに対し、図８ａ〜図８ｃに示すように、本発明の他の実施形態では、フレーム７０をさらに備え、前記ゴム排出パッド５０は、テンションキャップ６０とフレーム７０との間で結合された後、容器本体３０に結合できる。
【００６７】
前記フレーム７０は、上端に結合突起７１が設けられ、前記結合突起７１にゴム排出パッド５０の嵌め込み部５２を嵌めて結合する。
【００６８】
前記ゴム排出パッド５０は、図８ｂおよび図８ｃに示すように、フレーム７０に嵌合された後、テンションキャップ６０に結合されて容器本体３０の内壁３２の嵌合突起３４に嵌合されると、フレーム７０なしに結合される場合よりも強固に結合できる。
【００６９】
また、ゴム排出パッド５０が結合されたフレーム７０をテンションキャップ６０に予め組み立てておいた後、容器本体３０に組み立てると、本発明のゴム排出パッド付き化粧品容器を生産するとき、部品のモジュール化によって工程が簡便となり生産速度が増加する効果がある。
【００７０】
前記テンションキャップ６０は、上面にテンション突条６１が設けられ、容器本体３０の内壁３２と外壁３３との間に挿嵌される。
【００７１】
前記テンション突条６１は、図５、図６ｄ、図７および図８ｃに示すように、ゴム排出パッド５０の縁部を押圧して前記ゴム排出パッド５０をぴんと張るようにし、テンションキャップ６０がゴム排出パッド５０を容器本体３０に堅固に結合することにより、ゴム排出パッド５０の押圧時に、前記ゴム排出パッド５０が容器本体３０から離脱されることを防止する。
【００７２】
次に、本発明の一実施形態に係るゴム排出パッド付き化粧品容器の組立方法および使用状態を詳細に説明する。
【００７３】
本発明は、容器本体収容空間１５を有する外容器１０と、前記外容器１０にヒンジ結合で結合される外容器蓋２０とを含み、前記外容器１０の内側に容器本体３０が結合される。
【００７４】
前記容器本体３０は、容器の蓋４０とヒンジ結合で結合される。
【００７５】
その後、図６ａおよび図６ｂに示すように、容器本体３０の上端にゴム排出パッド５０を結合して組み立てた後、図６ｃおよび図６ｄに示すように、容器本体３０にテンションキャップ６０を挿嵌することにより、本発明のゴム排出パッド付き化粧品容器の組み立てを完了する。
【００７６】
または、前記ゴム排出パッド５０が容器本体３０に直接結合されず、図８ａ〜図８ｃに示すように、ゴム排出パッド５０がフレーム７０に結合されて、容器本体３０に結合できる。
【００７７】
前述の方法で組み立てられたゴム排出パッド付き化粧品容器の内容物を使用するためには、パフを使ってゴム排出パッド５０を押圧する。
【００７８】
前記ゴム排出パッド５０を押圧すると、ゴム排出パッド５０の弾性により前記ゴム排出パッド５０が容器本体３０の下側にまで押されることにより、前記容器本体３０に収容された内容物を残量なく使用することができるという利点がある。
【００７９】
また、前記容器本体３０に収容されている内容物が前記ゴム排出パッド５０の吐出口５１から排出されるため、ゴム排出パッド５０を押す力によって吐出口５１の膨張大きさが変わるので、内容物の吐出量を調節できるという効果がある。
【００８０】
図５、図６ｄ、図７および図８ｃに示すように、テンションキャップ６０のテンション突条６１がゴム排出パッド５０の縁部を押圧してゴム排出パッド５０をぴんと張るようにし、テンションキャップ６０がゴム排出パッド５０を容器本体３０に堅固に結合することにより、使用者が本発明の化粧品容器を使用する際、前記ゴム排出パッド５０が容器本体３０から離脱することを防止できる。
【００８１】
図７に示すように、容器本体３０内には含浸部材８０をさらに含むことができる。従来の低粘度な油中水型製品は、流通中の容器内で長期保管されるとき、内相の水相と外相の油相とが互いに分離される場合があるが、内容物を含浸部材８０に含浸させておけば、スポンジタイプからなる含浸部材８０の小さなセル内に内容物が入っているので、セル内の表面張力によって水相と油相に分離されないという利点がある。
【００８２】
以上、本発明で説明したのは、ゴム排出パッド付き化粧品容器を実施するための一実施形態に過ぎないものである。本発明は、前記一実施形態に限定されるものではない。添付された請求の範囲で請求するように、本発明の要旨を逸脱することなく、当該発明の属する分野における通常の知識を有する者であれば誰でも様々な変更実施を加え得る範囲まで本発明の範囲に属するものと理解されるべきである。
【符号の説明】
【００８３】
１０    外容器
１１    押しボタン
１２    ロック片
１３    結合突起
１４    ヒンジブラケット装着溝
１５    容器本体収容空間
２０    外容器蓋
２１    ロック突起
３０    容器本体
３１    内容物収容空間
３２    内壁
３３    外壁
３４    嵌合突起
３５    結合溝
３６    ヒンジブラケット
３７    ヒンジピン
４０    容器蓋体
４１    開閉つまみ
４２    密閉片
４３    ヒンジ突起
４４    パフ内蔵空間
５０    ゴム排出パッド
５１    吐出口
５２    嵌め込み部
６０    テンションキャップ
６１    テンション突条
７０    フレーム
７１    結合突起
８０    含浸部材
【図１】
0006332775.tif 000004
【図２】
0006332775.tif 000005
【図３】
0006332775.tif 000006
【図４】
0006332775.tif 000007
【図５】
0006332775.tif 000008
【図６ａ】
0006332775.tif 000009
【図６ｂ】
0006332775.tif 000010
【図６ｃ】
0006332775.tif 000011
【図６ｄ】
0006332775.tif 000012
【図７】
0006332775.tif 000013
【図８ａ】
0006332775.tif 000014
【図８ｂ】
0006332775.tif 000015
【図８ｃ】
0006332775.tif 000016